(57)【要約】【課題】コマンドに応じた処理の実行時間を短縮可能であるとともに、システムマイコンの負荷を軽減できる受信装置を提供することができる。【解決手段】受信装置は、ラジオ局から放送される放送信号を受信するチューナからの出力に応じて、音声信号を生成するとともに、放送信号の受信強度を示す受信強度データを生成するデータ生成部と、音声信号に対して、設定データに基づく処理を施して出力する音声信号処理部と、受信強度データの取得及び設定データの設定の少なくとも何れか一方を指示するためにシリアルで入力される指示データに基づいて、受信強度データの取得及び設定データの設定の少なくとも何れか一方をパラレルで実行する制御部と、を備える。【選択図】図１
2010028393.tif 000002
【特許請求の範囲】
【請求項１】
ラジオ局から放送される放送信号を受信するチューナからの出力に応じて、音声信号を生成するとともに、前記放送信号の受信強度を示す受信強度データを生成するデータ生成部と、
前記音声信号に対して、設定データに基づく処理を施して出力する音声信号処理部と、
前記受信強度データの取得及び前記設定データの設定の少なくとも何れか一方を指示するためにシリアルで入力される指示データに基づいて、前記受信強度データの取得及び前記設定データの設定の少なくとも何れか一方をパラレルで実行する制御部と、
を備えることを特徴とする受信装置。
【請求項２】
請求項１に記載の音声信号処理回路であって、
前記指示データは、
前記チューナの受信周波数を設定するためのデータを含み、
前記制御部は、
前記指示データに基づいて、前記チューナの前記受信周波数を設定するための周波数データを前記チューナに設定すること、
を特徴とする受信装置。
【請求項３】
請求項２に記載の音声信号処理回路であって、
前記データ生成部は、
前記受信強度データを格納する格納部を含み、
前記制御部は、
前記指示データをデコードして、前記格納部を指定するアドレスデータの出力の有無と、前記設定データ及び前記周波数データの夫々の設定の有無とを示すデコード結果を生成するデコーダと、
前記アドレスデータの出力と、前記設定データ及び前記周波数データの夫々の設定とのうち、前記デコード結果に応じた処理を実行するデータ制御部と、
を含むことを特徴とする受信装置。
【発明の詳細な説明】
【技術分野】
【０００１】
本発明は、受信装置に関する。
【背景技術】
【０００２】
カーステレオ等の電子機器においては、ＣＤ（Compact Disc）プレーヤー、ラジオ受信機、ディスプレイ等を制御するために、一般にシステムマイコンが用いられている。また、ラジオ受信機には、例えば、欧州におけるＲＤＳ（Radio Data System）や、米国におけるＲＢＤＳ（Radio Broadcasting Data System）に対応した受信機がある。
【０００３】
例えば、ＲＤＳの場合、放送信号には同一の番組を放送している代替局の周波数を示す
代替局データが重畳されている。そして、ＲＤＳの放送信号を受信するＲＤＳ受信機では、例えば所定期間ごとに、代替局データに基づいて、ユーザーから指定された放送局から代替局に切り替えて代替局の受信レベルを検出し、受信局を元の放送局に戻す処理が行われる。受信局を代替局に切り替える際には、再生音の違和感を軽減するため、ＲＤＳ受信機の音声信号をミュートすることが一般的に行われる。また、受信局を元に戻す際には、ミュートが解除される。前述の代替局の受信レベルを検出するための一連の処理は、システムマイコンが夫々の処理に対応するコマンドを、ＲＤＳ受信機に適切なタイミングで送信することにより実行される（例えば、特許文献１参照）。
【特許文献１】特開２００５−１９８０９２号公報
【発明の開示】
【発明が解決しようとする課題】
【０００４】
ＲＤＳ受信機とシステムマイコンとの間の通信は、ＲＤＳ受信機及びシステムマイコンの実装面積を小さくするために、一般的にシリアルで実行される。したがって、例えば、ＲＤＳ受信機が前述のような代替局の受信レベルを検出するための一連の処理を実行する場合、ＲＤＳ受信機は、処理内容に応じたコマンドの夫々をシリアルで受信し、代替局の受信レベルをシリアルで送信する。このため、ＲＤＳ受信機が一連の処理を実行する時間が長くなる。また、システムマイコンは、処理の内容に応じたコマンドをＲＤＳ受信機に適宜送信する必要があるため、システムマイコンには負荷がかかる。
【０００５】
本発明は上記課題を鑑みてなされたものであり、コマンドに応じた処理の実行時間を短縮可能であるとともに、システムマイコンの負荷を軽減できる受信装置を提供することを目的とする。
【課題を解決するための手段】
【０００６】
上記目的を達成するため、本発明の一つの側面に係る受信装置は、ラジオ局から放送される放送信号を受信するチューナからの出力に応じて、音声信号を生成するとともに、前記放送信号の受信強度を示す受信強度データを生成するデータ生成部と、前記音声信号に対して、設定データに基づく処理を施して出力する音声信号処理部と、前記受信強度データの取得及び前記設定データの設定の少なくとも何れか一方を指示するためにシリアルで入力される指示データに基づいて、前記受信強度データの取得及び前記設定データの設定の少なくとも何れか一方をパラレルで実行する制御部と、を備える。
【発明の効果】
【０００７】
コマンドに応じた処理の実行時間を短縮可能であるとともに、システムマイコンの負荷を軽減できるラジオ受信機を提供することができる。
【発明を実施するための最良の形態】
【０００８】
本明細書および添付図面の記載の記載により、少なくとも以下の事項が明らかとなる。  
図１は、本発明の一実施形態であるＲＤＳ受信機１０（受信装置）の構成を示す図である。ＲＤＳ受信機は、ＲＤＳの放送信号を受信して再生可能なラジオ受信機であり、アンテナ２０、チューナ２１、及びシステムＬＳＩ（Large Scale Integration）２２を含んで構成される。また、本実施形態のＲＤＳ受信機は、カーステレオ（不図示）に設けられていることとする。
【０００９】
チューナ２１は、周波数設定部３２に設定される周波数データに基づいて、アンテナ２０を介して受信される放送信号から中間周波数のＩＦ（Intermediate Frequency）信号を生成する回路である。チューナ２１は、ミキサ３０、ＰＬＬ（Phase Locked Loop）３１、及び周波数設定部３２を含んで構成される。
【００１０】
ミキサ（ＭＩＸ）３０は、アンテナ２０で受信される放送信号を、ＰＬＬ３１から出力される発振信号でダウンコンバートしてＩＦ信号を生成する回路である。
【００１１】
ＰＬＬ３１は、周波数設定部３２に設定される周波数データに基づいた発振周波数の発振信号を生成する回路である。
【００１２】
周波数設定部３２は、システムＬＳＩ２２から出力される周波数データを保持し、周波数データに基づいてＰＬＬ３１の発振周波数を設定する回路である。なお、本実施形態の周波数設定部３２は、例えばレジスタにより実現される。
【００１３】
システムＬＳＩ２２は、システムマイコン２３からの指示に基づいて、チューナ２１から出力されるＩＦ信号、またはカーステレオのＣＤプレーヤー（不図示）から出力される音声信号ＩＮに応じた音声を再生するための回路である。また、システムＬＳＩ２２は、システムマイコン２３からの指示に基づいて、放送信号の内容を示すＲＤＳデータ、放送信号の受信強度を示す受信強度データをシステムマイコン２３に送信する。本実施形態のシステムＬＳＩ２２は、ＤＳＰ（Digital Signal Processor）４０，４１、アドレスデコーダ４２、マイコン４３、及びパラレルバス４４を含んで構成される。
【００１４】
ＤＳＰ４０（データ生成部）は、入力されるＩＦ信号からデジタル音声信号を生成してＤＳＰ４１に出力するとともに、ＲＤＳデータ及び受信強度データをマイコン４３に出力する。ＤＳＰ４０は、ＡＤコンバータ（ＡＤＣ）５０、ＩＦ処理部５１、レベル検出部５２、ＲＤＳ復調部５３、及び第１設定部５４を含んで構成される。
【００１５】
ＡＤコンバータ５０は、入力されるアナログのＩＦ信号をデジタルのＩＦ信号に変換する。ＩＦ処理部５１は、デジタルのＩＦ信号に対し検波処理を施して、デジタル音声信号を生成する。レベル検出部５２は、ＩＦ処理部５１の出力に基づいて、ＳメータＤＣ値やＳメータＡＣ値、隣接妨害レベル等の放送信号の受信強度を示す受信強度データを生成する。また、レベル検出部５２で生成された受信強度データは、レベル検出部５２に含まれる格納部５５に格納される。なお、本実施形態における格納部５５は、例えばレジスタで実現される。ＲＤＳ復調部５３は、ＩＦ処理部５１の出力に基づいて、ＲＤＳデータを生成する。本実施形態のＲＤＳ復調部５３もレベル検出部５２と同様に、生成されたＲＤＳデータを格納する格納部５６を含んで構成される。第１設定部５４は、マイコン４３から出力される第１設定データを保持し、レベル検出部５２、ＲＤＳ復調部５３の夫々の動作の状態を設定する。具体的には、第１設定データに基づいて、レベル検出部５２に受信強度データを生成させるか否かを設定し、ＲＤＳ復調部５３にＲＤＳデータの夫々を生成させるか否かを設定する。なお、本実施形態の第１設定部５４は、例えばレジスタで実現される。また、格納部５５が本発明の格納部に相当する。
【００１６】
ＤＳＰ４１（音声信号処理部）は、ＤＳＰ４０からのデジタル音声信号、または、ＣＤプレーヤーからのアナログ音声信号ＩＮに対し、第２設定部６５に保持された第２設定データに基づいた処理を施して再生する。ＤＳＰ４１は、ＡＤコンバータ６０、選択部６１、イコライザ（ＥＱ）６２、ミュート部６３、ＤＡコンバータ（ＤＡＣ）６４、及び第２設定部６５を含んで構成される。なお、第２設定データが本発明の設定データに相当する。
【００１７】
ＡＤコンバータ６０は、ＣＤプレーヤーからのアナログ音声信号ＩＮをデジタル音声信号に変換する。選択部６１は、第２設定部に保持される第２設定データに基づいて、ＤＳＰ４０からのデジタル音声信号と、ＡＤコンバータ６０からのデジタル音声信号とのうち、何れか一方を選択してイコライザ６２に出力する。選択部６１は、例えばセレクタ回路により実現される。イコライザ６２は、第２設定データに基づいて、入力されるデジタル音声信号の特定の周波数帯域を強調、または減衰する。ミュート部６３は、イコライザ６２からのデジタル音声信号に対するミュートを、第２設定データに基づいて制御する。ＤＡコンバータ６４は、ミュート部から出力されるデジタル音声信号をアナログ音声信号に変換し、カーステレオのスピーカ（不図示）で再生するために出力する。第２設定部６５は、マイコン４３から出力される第２設定データを保持し、前述のように、選択部６１、イコライザ６２、ミュート部６３の夫々の状態を設定する。第２設定部６５は、例えばレジスタで実現される。
【００１８】
アドレスデコーダ４２は、マイコン４３からパラレルで出力されるアドレスデータに応じて、第１設定部５４、格納部５５，５６、及び第２設定部６５のうち何れかを選択する。つまり、アドレスデコーダ４２は、アドレスデータをデコードし、マイコン４３のアクセス先を指定する。
【００１９】
マイコン４３（制御部）は、システムＬＳＩ２２に内蔵され、システムマイコン２３から入力されるコマンドに基づいて、システムＬＳＩ２２を統括制御する。例えば、マイコン４３は、チューナ２１の受信周波数の設定や、ＤＳＰ４０、４１の夫々における処理の内容を設定する。また、マイコン４３は、デコーダ７０、データ制御部７１を含んで構成される。
【００２０】
デコーダ７０は、システムマイコン２３から入力されるコマンドをデコードして、デコード結果をデータ制御部７１に出力する。具体的には、デコーダ７０は、入力されるコマンドに基づいて、周波数設定部３２、第１設定部５４、格納部５５，５６、第２設定部６５の夫々にアクセスする必要があるかどうかを示すデコード結果を生成する。また、本実施形態では、コマンドに含まれるフラグの論理レベルに基づいて、例えば、選択部６１の入力信号の選択や、ミュート６３の処理の実行の有無を含む第２設定データを生成することとする。
【００２１】
データ制御部７１は、コマンドのデコード結果に基づいて、周波数設定部３２、第１設定部５４、第２設定部６５の夫々にデータを設定し、格納部５５，５６の夫々に格納される受信強度データ、ＲＤＳデータを取得する。さらに、データ制御部７１は、取得した受信強度データ、ＲＤＳデータをシステムマイコン２３に送信する。なお、本実施形態においては、マイコン４３とチューナ２１とはシリアルバスで接続され、データ制御部７１は、マイコン４３がプログラムを実行することにより実現される。
【００２２】
パラレルバス４４は、アドレスデコーダ４２とマイコン４３とを接続するパラレルのアドレスバス８０と、ＤＳＰ４０，４１とマイコン４３とを接続するパラレルのデータバス８１とを含んで構成される。なお、アドレスバス８０には、例えば、第１設定部５４、格納部５５，５６、及び第２設定部６５にアクセスするためのアドレスデータがデータ制御部７１から出力される。データバス８１には、例えば、第１設定部５４、第２設定部６５の夫々に対する、第１設定データ、第２設定データがデータ制御部７１から出力される。また、データバス８１には、例えば、格納部５５，５６からの受信強度データ、ＲＤＳデータが出力される。
【００２３】
システムマイコン２３は、カーステレオの全体を統括制御する。例えば、システムマイコン２３は、ユーザーの受信局の変更操作に応じて、受信局を変更するためのコマンドをマイコン４３に出力する。また、例えば、マイコン４３からのＲＤＳデータを受信する。ＲＤＳデータには、例えば、受信局の放送内容に関する情報や、受信局と同じ放送内容を放送している代替局の情報が含まれている。このため、システムマイコン２３は、ＲＤＳデータに基づいて、定期的に、代替局の放送信号の受信強度を取得するためのコマンドをマイコン４３に送信する。また、ユーザーの選択している受信局のより、代替局の受信感度が良い場合、受信局から代替局へと切り替えるコマンドをマイコン４３に送信する。
【００２４】
ここで、システムマイコン２３が、代替局の受信強度を取得するコマンドをマイコン４３に送信した場合のＲＤＳ受信機１０の動作を、図２に示すフローチャートを参照しつつ説明する。なお、ここでは、ＲＤＳ受信機１０は、受信した放送信号を再生できるよう、チューナ２１の周波数設定部３２と、システムＬＳＩ２２の第１設定部５４、第２設定部６５とが設定されていることとする。また、システムマイコン２３は、ＲＤＳデータを受信し、代替局に関する情報を取得していることとする。
【００２５】
マイコン４３のデコーダ７０は、代替局の受信強度を取得するコマンド（以下、代替局サーチコマンドとする）をシステムマイコン２３から受信する（Ｓ１００）。デコーダ７０は、代替局サーチコマンドをデコードし、デコード結果をデータ制御部７１に出力する（Ｓ１０１）。データ制御部７１は、デコード結果に基づいて、再生音の違和感を軽減するために音声信号のミュート処理を実行する。具体的には、データ制御部７１は、第２設定部６５に対するアドレスデータを、アドレスバス８０を介してアドレスデコーダ４２に送信する。そして、データ制御部７１は、音声信号に対してミュート処理が実行されるようなデータを第２設定データとして、データバス８１を介して第２設定部６５に設定する（Ｓ１０２）。なお、本実施形態では、データ制御部７１がデータを設定する際には、処理Ｓ１０１で説明した場合と同様に、アクセス先のアドレスを送信した後にデータを設定する。したがって、以下、本実施形態では、データ制御部７１がデータを設定する際には、予めアクセス先のアドレスデータをデータ制御部７１が送信していることとして説明する。また、以下、データ制御部７１は、代替局サーチコマンドのデコード結果に基づいて、処理を実行することとする。
【００２６】
データ制御部７１がＤＳＰ４１からの音声信号のミュート処理を実行すると、データ制御部７１は、代替局の放送信号を受信できるようチューナ２１の受信周波数を変更する。具体的には、データ制御部７１は、代替局の周波数データをシリアルで周波数設定部３２に設定する（Ｓ１０３）。そして、データ制御部７１は、代替局の放送信号の強度を検出すべく、レベル検出部５２を動作させる。具体的には、データ制御部７１は、レベル検出部５２が動作するようなデータを、第１設定データとして第１設定部５４に設定する（Ｓ１０４）。そして、代替局の受信強度データは、レベル検出部５２の格納部５５に格納される。データ制御部７１は、格納部５５にアクセスして代替局の受信強度データを取得するために、格納部５５のアドレスデータをアドレスデコーダ４２に出力する。その結果、格納部５５に格納された代替局の受信強度データはデータバス８１に出力され、データ制御部７１は、受信強度データを取得する（Ｓ１０５）。データ制御部７１は、代替局から元の受信局へ戻すために、チューナ２１の受信周波数を変更する。具体的には、データ制御部７１は、元の受信局の受信周波数の周波数データを周波数設定部３２に設定する（Ｓ１０６）。また、データ制御部７１は、レベル検出部５２の動作を停止させるようなデータを、第１設定データとして第１設定部５４に設定する（Ｓ１０７）。データ制御部７１は、元の受信局の音声を再生させるために、ミュート処理を解除する。具体的には、データ制御部７１は、ミュート処理が解除するようなデータを第２設定データとして、第２設定部６５に設定する（Ｓ１０８）。そして、データ制御部７１は、取得した代替局の受信強度データをシリアルでシステムマイコン２３に送信する（Ｓ１０９）。
【００２７】
以上に説明した構成からなる本実施形態のＲＤＳ受信機１０においては、システムＬＳＩ２２に設けられたマイコン４３が、システムマイコン２３からの代替局サーチコマンドをシリアルで受信すると（Ｓ１００）、ミュート処理の実行（Ｓ１０２）をパラレルで実行し、代替局における受信強度データをパラレルで取得する（Ｓ１０５）。そして、マイコン４３は、ミュートをパラレルで解除し（Ｓ１０８）、最終的に受信強度データをシステムマイコン２３にシリアルで送信する（Ｓ１０９）。本実施形態では、ミュートの処理の状態を更新する場合は、第２設定データの全てを更新する。また、受信強度データは、前述のように、ＳメータＤＣ、ＳメータＡＣ、隣接妨害レベル等のデータであるため、一般に、データのサイズが大きくなる。したがって、例えば、ミュート処理の実行や、受信強度データを、システムマイコン２３が直接シリアルで取得する場合と比較すると、処理時間を短縮することができる。このため、ミュート期間を短くすることができるため、代替局の受信強度データを取得する際に生じる再生音の違和感を軽減できる。さらに、本実施形態では、システムマイコン２３が代替局データを取得するためにマイコン４３にアクセスするのは、コマンドを送信する場合（Ｓ１００）と、受信強度データを取得する場合（Ｓ１０９）との２回である。したがって、本実施形態のＲＤＳ受信機１０を用いることにより、システムマイコン２３の負荷を軽減することが可能である。
【００２８】
また、本実施形態のマイコン４３は、代替局サーチコマンドを受信すると（Ｓ１００）、チューナ２１の受信周波数を代替局の周波数に変更し（Ｓ１０３）、さらに、元の受信局の周波数に戻す処理を実行する（Ｓ１０６）。一般にシステムマイコン２３は、カーステレオ全体を統括制御するため、例えば、ＣＤプレーヤーからの割り込み等が発生すると、直ちにチューナ２１の受信周波数を変更できない場合がある。本実施形態では、システムマイコン２３が直接チューナ２１を制御する必要はないため、代替局サーチコマンドを実行する際に、前述のシステムマイコン２３の割り込み等を考慮する必要がない。したがって、本実施形態のＲＤＳ受信機１０は、コマンドに応じた処理の実行時間を短縮可能であるとともに、システムマイコン２３の負荷を軽減できる。
【００２９】
また、本実施形態のマイコン４３は、代替局サーチコマンドを受信すると（Ｓ１００）、デコーダ７０が代替局サーチコマンドをデコードする（Ｓ１０１）。さらに、本実施形態では、データ制御部７１が、デコード結果に基づいて、周波数データ、第１設定データ、第２設定データの夫々のデータの設定、また、受信強度データの取得を実行した（Ｓ１０２〜Ｓ１０８）。前述のように、本実施形態のデコーダ７０は、入力されるコマンドに基づいて、周波数設定部３２、第１設定部５４、格納部５５，５６、第２設定部６５の夫々にアクセスする必要があるかどうかを示すデコード結果を生成する。したがって、例えば、ユーザーが指定した受信局の受信強度データのみを取得する場合、デコーダ７０は、格納部５５のみにアクセスする必要があるとのデコード結果を生成する。そのため、データ制御部７１は、デコード結果に基づいて格納部５５のみにアクセスすれば良く、コマンドの処理時間を短縮可能である。また、例えば、デコーダ７０を用いない場合と比較すると、システムマイコン２３が送信するコマンドのデータサイズを抑制しつつ、ＲＤＳ受信機１０を制御することが可能であるため、システムマイコン２３の負荷を軽減できる。
【００３０】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００３１】
本実施形態では、代替局の受信強度を取得する際に、まず、データ制御部７１がミュート処理を実行し（Ｓ１０２）、そしてデータ処理制御部７１がチューナ２１の受信周波数を変更することとしたが（Ｓ１０３）それに限られるものでは無い。例えば、チューナ２１からのＩＦ信号がミュート部６３に到達するまでの時間、すなわち、システムＬＳＩ２２におけるＩＦ信号の遅延時間が、ミュート処理を設定する時間より長い場合は、まず、データ処理制御部７１がチューナ２１の受信周波数を変更し、その後ミュート処理を実行しても良い。
【００３２】
また、本実施形態におけるデータバス８１には、例えば、受信強度データ、ＲＤＳデータが出力されるが、それに限られるものではない。例えば、システムマイコン２３がミュート部６３の状況を確認する場合には、ミュート部６３がミュートの状況を示すデータを生成し、システムマイコン２３が、データバス８１、データ制御部７１を介してミュートの状況を示すデータを取得する。すなわち、本実施形態のデータバス８１には、システムＬＳＩ２２に含まれるブロックに関するデータが、夫々のブロックから出力される。
【図面の簡単な説明】
【００３３】
【図１】本発明の一実施形態であるＲＤＳ受信機の構成を示す図である。
【図２】代替局の受信強度を取得する処理の一例を示す図である。
【符号の説明】
【００３４】
１０  ＲＤＳ受信機
２０  アンテナ
２１  チューナ
２２  システムＬＳＩ
２３  システムマイコン
３０  ミキサ（ＭＩＸ）
３１  ＰＬＬ
３２  周波数設定部
４０，４１  ＤＳＰ
４２  アドレスデコーダ
４３  マイコン
４４  パラレルバス
５０，６０  ＡＤコンバータ（ＡＤＣ）
５１  ＩＦ処理部
５２  レベル検出部
５３  ＲＤＳ復調部
５４  第１設定部
５５，５６  格納部
６１  選択部
６２  イコライザ（ＥＱ）
６３  ミュート部
６４  ＤＡコンバータ（ＤＡＣ）
６５  第２設定部
７０  デコーダ
７１  データ制御部
８０  アドレスバス
８１  データバス
【図１】
2010028393.tif 000003
【図２】
2010028393.tif 000004